(57)【要約】      （修正有）【課題】インテリジェント化された１つのカバンを提供する。【解決手段】外殻１と、前記外殻１と一体化された電子処理モジュール２と、前記電子処理モジュール２と結合し、前記外殻１の外面に配された電子ディスプレイ３とを含むカバン物品１０であって、前記処理モジュール２が、前記カバン物品１０の使用者に情報項目を表示するために、前記ディスプレイ３を制御するように構成されているカバン物品１０に関する。前記カバン物品１０は、前記カバン物品１０の使用者による制御の下、前記ディスプレイ３上に旅程または旅行に関する情報を表示するように構成されていてもよい。【選択図】図１
2014132747.tif 000002
【特許請求の範囲】
【請求項１】
外殻（１）と、
前記外殻（１）と一体化された電子処理モジュール（２）と、
前記電子処理モジュール（２）と結合し、前記外殻（１）の外面に配された電子ディスプレイ（３）と
を含むカバン物品（１０）であって、
前記処理モジュール（２）が、前記カバン物品（１０）の使用者に対して情報項目を表示するために、前記ディスプレイ（３）を制御するように構成されているカバン物品（１０）。
【請求項２】
前記電子処理モジュール（２）が、
処理ユニット（２１）と、
前記処理ユニット（２１）と結合し、前記処理ユニット（２１）とアプリケーションデータを無線により相互送信するよう構成された通信モジュール（２３）と
をさらに含む、請求項１に記載のカバン物品（１０）。
【請求項３】
前記電子処理モジュール（２）が、
前記処理ユニット（２１）と結合しているメモリユニット（２２）であって、前記カバン物品（１０）の旅程情報と連携するアプリケーションデータを格納するよう構成されたメモリユニット（２２）
をさらに含む、請求項２に記載のカバン物品（１０）。
【請求項４】
前記ディスプレイ（３）上に情報項目を表示するように、前記処理モジュール（２）を制御するための入力信号を受信するように構成されたインタフェースユニット（１３）
をさらに含む、請求項１〜３のいずれか１項に記載のカバン物品（１０）。
【請求項５】
前記外殻（１）内に配され、前記電子処理モジュール（２）と結合したカメラ（１１）であって、前記カバン物品（１０）の周囲を撮影するように構成されたカメラ（１１）
をさらに含む、請求項１〜４のいずれか１項に記載のカバン物品（１０）。
【請求項６】
前記カバン物品（１０）の重量を測定するように構成された少なくとも１つの秤量センサー（９）
をさらに含む、請求項１〜５のいずれか１項に記載のカバン物品（１０）。
【請求項７】
少なくとも１つの前記秤量センサー（９）の測定結果に関する情報を表示するように構成された１つ以上の表示器を含む表示盤（６）
をさらに含む、請求項６に記載のカバン物品（１０）。
【請求項８】
前記カバン物品（１０）の周囲について、次の１つ以上のパラメータ
：温度、加速度、回転、気圧、湿度、明るさ
を測定するよう構成された１つ以上のセンサー（１２）
をさらに含む、請求項１〜７のいずれか１項に記載のカバン物品（１０）。
【請求項９】
前記処理モジュール（２）に結合され、前記処理モジュール（２）に電力を供給するように構成された電源供給ユニット（１４）
をさらに含む、請求項１〜８のいずれか１項に記載のカバン物品（１０）。
【請求項１０】
前記電源供給ユニット（１４）に結合され、回転エネルギーを変換して前記電源供給ユニット（１４）を充電するための電力とするように構成された１つ以上の車輪（５）
をさらに含む、請求項９に記載のカバン物品（１０）。
【請求項１１】
前記外殻（１）の内面に配され、前記電子処理モジュール（２）と結合したさらなるディスプレイ（３ａ）
をさらに含む、請求項１〜１０のいずれか１項に記載のカバン物品（１０）。
【請求項１２】
前記外殻（１）の中に配された気密圧縮袋と、
前記気密圧縮袋に結合され、前記気密圧縮袋を排気するように構成された真空発生ユニットと
をさらに含む、請求項１〜１１のいずれか１項に記載のカバン物品（１０）。
【請求項１３】
請求項１〜１２のいずれか１項に記載のカバン物品（１０）のための通信システムであって、
前記電子処理モジュール（２）と通信し、前記カバン物品（１０）の前記ディスプレイ（３）上に情報項目を表示する目的で、前記電子処理モジュール（２）を制御するように構成された管理プラットフォーム（２６）を含む通信システム。
【発明の詳細な説明】
【技術分野】
【０００１】
本発明は、ディスプレイを備えたカバン物品及びカバン物品のための通信システムに関する。
【背景技術】
【０００２】
カバン品（ｌｕｇｇａｇｅ  ｉｔｅｍ）は、個人所有物、付属物または手回り品を、その内部の区画境界の中に物を包んで収容、防護及び保護するために用いられる。カバン品における課題としては、所有者への関連付け及び付随する動的割り当てが挙げられる。特に、旅行の間には所有者である旅行者とカバン品とを一時的に別々にすることが望まれており、空の旅のような場合には必須でさえある。
【０００３】
従来では、カバン品に一時的にラベル表示するためにペーパータグが用いられており、それによって旅行の間にカバン品の取り扱いを任された職員は、カバン品をそれぞれの所有者に再び関連付けることが可能になる。近年において、カバン品の認証及び関連付け処理を改善するため、特に、空港における取扱工程において即時の運送及び経路決定を確実にするために、ＲＦＩＤソリューションが用いられている。
【０００４】
文献ＵＳ６，４７６，７１８Ｂ１には、カバンを個別に認証するための、カバンにタグ付けするマイクロチップを含む、カバンのための追跡可能なカバンシステムが開示されている。
【０００５】
文献ＵＳ７，５３５，３５８Ｂ２には、カバンをＧＰＳ追跡するため及びカバンの状態を監視するための電子カバンが開示されている。
【０００６】
文献ＵＳ７，６２６，５０５Ｂ２には、所有者の身分証明、目的地または旅行バッグに関する類似の経歴情報を提供することにより、輸送の間に旅行バッグの位置を特定及び追跡する、旅行バッグに添付可能なＲＦタグが開示されている。
【０００７】
文献ＵＳ２０１２／００９８６４２Ａ１には、ＵＨＦ及びＲＦＩＤ機能並びに２状態（ｂｉ−ｓｔａｔｅ）ディスプレイを有する電池不要なカバンタグが開示されている。
【０００８】
文献ＵＳ２００８／０３０３６３７Ａ１には、グラフィカルな印を有する、民生用製品に添付される電子インクベースのＲＦＩＤタグが開示されている。
【０００９】
文献ＧＢ２４５９２８８Ｂには、スーツケースの外部区画内に電子デバイスが取り付けられたスーツケースが開示されている。
【００１０】
文献ＵＳ２０１０／０３２５０６０Ａ１には、追跡するバッグ１つの目的地印を表示するディスプレイを有する電子バッグ追跡デバイスが開示されている。
【００１１】
旅行者及び各々のカバン品の移動経路を別々にすれば、旅行の編成及び効率を改善することができる。特にカバン品は、運送業者によるカバン品の運送を最適化するために、カバン自身が周囲と「コミュニケート」可能であること及びカバン自身の取扱工程に影響を及ぼすことへの要求が高まっている。
【発明の概要】
【発明が解決しようとする課題】
【００１２】
従って、本発明のある目的は、インテリジェント化された１つのカバンを提供することにある。
【課題を解決するための手段】
【００１３】
上記問題は、請求項１の技術的特徴を有するカバン物品、及び請求項１３の技術的特徴を有するカバン物品のための通信システムにより解決される。
【００１４】
本発明の第１の局面によれば、カバン物品は、外殻と、前記外殻と一体化された電子処理モジュールと、前記電子処理モジュールと結合し、前記外殻の外面に配された電子ディスプレイとを含み、前記処理モジュールは、前記カバン物品の使用者に対して情報項目を表示するために、前記ディスプレイを制御するように構成されている。
【００１５】
本発明の第２の局面によれば、本発明の第１の局面のカバン物品のための通信システムは、前記電子処理モジュールと通信し、前記カバン物品の前記ディスプレイ上に情報項目を表示する目的で、前記電子処理モジュールを制御するように構成された管理プラットフォームを含んでいる。
【００１６】
本発明の１つの主な思想は、旅行の状態に関する状況に依存する情報項目を表示することにより周囲とコミュニケート可能な「インテリジェント」化された１つのカバンを提供することにある。そのために、複数の目的のためにアプリケーションデータをカバン物品と直接相互送信するため、及びカバン物品と対話するため、電子デバイスがカバン物品内に一体化される。
【００１７】
このようなカバン物品により、カバン物品の遠隔操作によるラベル表示、追跡及び再経路変更を行い得るという利点がある。これにより、使用者の快適性を向上すること、及び取り扱いや経路決定を間違える可能性を最小化することができる。
【００１８】
さらに、例えばスマートフォンアプリを通じて、カバン物品を遠隔操作によりロックし得るという利点、及びカバン物品の現在の移動状況の確認を行い得るという利点がある。これにより、操作のエクスペリエンス及びカバン物品の内容物の安全性が高められる。
【００１９】
本発明のカバン物品は、カバン物品を個別認証する目的で、使用者が容易に個人用とすることができる。そのうえ、望むならば、カバン物品は互いに通信できる。すなわち、カバン物品の周囲との相互作用の可能性が有利に高められる。
【００２０】
そのうえ、ユーザーエクスペリエンス向上及びカバン物品の視覚的追跡性を高める目的で、広告料のためまたは個性化のため、ディスプレイを広告スペースとして商業利用することができる。
【００２１】
従属請求項は、有利な実施態様における追加の技術的特徴及び本発明のさらなる改善を提供する。
【００２２】
カバン物品のある実施形態によれば、前記電子処理モジュールは、処理ユニットと、前記処理ユニットと結合し、前記処理ユニットとアプリケーションデータを無線により相互送信するよう構成された通信モジュールとをさらに含んでいる。
【００２３】
カバン物品のさらなる実施形態によれば、前記電子処理モジュールは、前記処理ユニットと結合しているメモリユニットであって、前記カバン物品の旅程情報と連携するアプリケーションデータを格納するよう構成されたメモリユニットをさらに含んでいる。
【００２４】
カバン物品のさらなる実施形態によれば、前記カバン物品は、前記ディスプレイ上に情報項目を表示するように、前記処理モジュールを制御するための入力信号を受信するように構成されたインタフェースユニットをさらに含んでいる。これにより、無線通信デバイスを必要とせずに、カバン物品と直接対話するという利点が提供される。
【００２５】
カバン物品のさらなる実施形態によれば、前記カバン物品は、前記外殻内に配され、前記電子処理モジュールと結合したカメラであって、前記カバン物品の周囲を撮影するように構成されたカメラをさらに含んでいる。これにより、経路に沿った旅行の写真記録ファイルを生成するという利点が提供される。写真情報は、安全上の理由のために用いてもよく、ソーシャルエンリッチメント（ｓｏｃｉａｌ  ｅｎｒｉｃｈｍｅｎｔ）のために用いてもよい。
【００２６】
カバン物品のさらなる実施形態によれば、前記カバン物品は、前記カバン物品の重量を測定するように構成された少なくとも１つの秤量センサーをさらに含んでいる。これにより、カバン物品に物を詰め込みすぎる恐れがあるときに、使用者に対して直接フィードバックすることができる。
【００２７】
カバン物品のさらなる実施形態によれば、前記カバン物品は、少なくとも１つの前記秤量センサーの測定結果に関する情報を表示するように構成された１つ以上の表示器を含む表示盤をさらに含んでいる。これにより、使用者に対して重量及び／または重量閾値の超過を表示することが容易になる。
【００２８】
カバン物品のさらなる実施形態によれば、前記カバン物品は、前記カバン物品の周囲について、次の１つ以上のパラメータ（温度、加速度、回転、気圧、湿度、明るさ）を測定するよう構成された１つ以上のセンサーをさらに含んでいる。これにより、カバン物品の移動記録を強化すること及び旅程中の異常な出来事を遡って辿ることができる。
【００２９】
カバン物品のさらなる実施形態によれば、前記カバン物品は、前記処理モジュールに結合され、前記処理モジュールに電力を供給するように構成された電源供給ユニットをさらに含んでいる。
【００３０】
カバン物品のさらなる実施形態によれば、前記カバン物品は、前記電源供給ユニットに結合され、回転エネルギーを変換して前記電源供給ユニットを充電するための電力とするように構成された１つ以上の車輪をさらに含んでいる。これにより、カバン物品と旅行している間に電源供給ユニットを充電し、それによって電子処理モジュールの休止時間を最小化することが有利にできる。
【００３１】
カバン物品のさらなる実施形態によれば、前記カバン物品は、前記外殻の内面に配され、前記電子処理モジュールと結合したさらなるディスプレイをさらに含んでいる。これにより、使用者は、最適な旅行の準備のために、推奨される荷物や目的に関連する指示などの旅行に関連する背景情報を知る助けを得る。
【００３２】
カバン物品のさらなる実施形態によれば、前記カバン物品は、前記外殻の中に配された気密圧縮袋と、前記気密圧縮袋に結合され、前記気密圧縮袋を排気するように構成された真空発生ユニットとをさらに含んでいる。これにより、使用者がカバン物品の内容物をぎっしりとかつ安全に詰め込めるようになる。
【００３３】
本発明は、添付の図面に表される例示的な実施形態を用いて、より詳細に説明される。
【図面の簡単な説明】
【００３４】
添付の図面は、本発明のさらなる理解を提供するために本明細書に組み込まれ、その一部を形成する。これらの図面は本発明の実施態様を示しており、説明とともに本発明の原理を説明するのに役立つ。本発明の他の実施形態及び本発明の多くの意図された利点は、以下の詳細な説明を参照することでより理解されると認められる。図面の要素は、必ずしも互いに一定の縮尺ではない。対応する類似部分に対しては、同様の参照番号を用いる。
【００３５】
【図１】本発明の一実施形態に係るカバン物品の概略図を示す。
【図２】本発明の他の実施形態に係るカバン物品のデータ処理システムの概略図を示す。
【図３】本発明のさらに他の実施形態に係るカバン物品の概略図を示す。
【図４】本発明のさらに他の実施形態に係るカバン物品の概略図を示す。
【図５】本発明のさらに他の実施形態に係るカバン物品のための通信システムを示す。
【発明を実施するための形態】
【００３６】
本明細書において特定の実施形態が例示及び説明されるが、様々な代替及び／又は同等の実施が、本発明の範囲から逸脱することなく、図示され説明される特定の実施形態と置換され得ることは、当業者には理解されるであろう。通常、本願にはここで検討される特定の実施形態の任意の翻案及び変形を包含することが意図される。
【００３７】
本発明の意味に含まれるカバン物品は、個人旅行用として意図された任意の持ち運び可能な入れ物を含む。特に、カバン物品は、例えば、トラベルバッグ、バックパック、ナップサック、トランク、チェスト、スーツケース、ブリーフケース、トロリーバッグ、ポートマントー、ヴァリース（ｖａｌｉｓｅ）、トートバッグ、ホールドール、カーペットバッグ、機内持ち込みカバンまたは類似のカバン品であってもよい。これらの用語は本発明の趣旨の範囲内において交換可能に用いられる。
【００３８】
図１はカバン物品１０、特に旅行に使用するカバン物品１０を示す。カバン物品１０は、飛行機に乗る旅行、特に複合旅行（ｉｎｔｅｒｍｏｄａｌ  ｔｒａｖｅｌ）や混合通勤（ｍｉｘｅｄ−ｍｏｄｅ  ｃｏｍｍｕｔｉｎｇ）などに関する旅行に使用してもよい。
【００３９】
カバン物品１０は、通常は記号１に示される外殻を含んでいてもよい。外殻１は、例えば金属やプラスチック製の硬い外殻であってもよく、例えば織布製の柔らかい外殻であってもよい。図１において、カバン物品１０は、通常は側面１ａ、上面１ｂ及び前面１ｃを備える立方体形状として例示される。上面１ｂは、帯紐や提げ手などの取っ手４を装備していてもよい。前面１ｃは、外殻１に囲われたカバン物品１０の内部にアクセスするために揺動して開くことができるカバンの蓋として実装されていてもよい。
【００４０】
カバン物品１０は、客室、貨物または取扱者の要求に適した手頃な大きさであってもよい。例えば、カバン物品１０は、航空機内の客室手荷物に適した基準として通常受容される外形寸法を有していてもよい。カバン物品１０は、互いに相補的または調和する大きさの異なるサイズにおいて利用できてもよく、小さい異形の２つのカバン物品１０が、大きい異形のカバン物品の前面１ｃ上にぴったり合うようなものが好ましい。そうすれば、同じモデルシリーズの異なるカバン物品１０を容易かつ省スペースに積み重ねることができる。
【００４１】
カバン物品１０は、電子処理モジュール２と、電子処理モジュール２に結合した電子ディスプレイ３とを含んでいてもよい。電子処理モジュール２は、カバン物品１０の内側に配されていてもよい。すなわち、外殻１の外側からアクセスできなくてよい。他方、ディスプレイ３は、カバン物品１０の外殻の面の１つに一体化していてもよく、そのため、グラフィカルな項目を外殻１の外側から見られるよう、ディスプレイ３に表示されてもよい。カバン物品１０は、カバン物品１０の使用者による制御の下、ディスプレイ３上に旅程または旅行に関する情報を表示するように構成されていてもよい。
【００４２】
ディスプレイ３は、例えば、液晶ディスプレイ（ＬＣＤ）、発光ダイオード（ＬＥＤ）ディスプレイ、電子インクディスプレイ、２状態（ｂｉ−ｓｔａｔｅ）ディスプレイまたはその他の適当な電子ディスプレイ手段であってもよい。ディスプレイ３は、ディスプレイ３が嵌め込まれたカバン物品のそれぞれの面と共に、実質的に平面となるよう位置合わせされてもよい。例えば、ディスプレイ３は、カバン物品の上面１ｂにも配されていてよく、取っ手４内にも配されていてよい。
【００４３】
電子処理モジュール２は、例えば、スマートフォン、ハンドヘルドコンピュータまたはタブレットコンピュータのように、ディスプレイ３と一体構成品を形成してもよい。そのような場合、電子処理モジュール２及びディスプレイ３は、カバン物品１０の１つの面にあるレセプタクルにより、カバン物品１０と結合するよう構成されていてもよい。レセプタクルは、電子処理モジュール２及びディスプレイ３を、着脱可能なロック手段内に受けてもよい。電子処理モジュール２がカバン物品１０に接続されている時にのみ動作するように、電子処理モジュール２及びディスプレイ３の存在を監視する手段が設けられていてもよい。このため、レセプタクル及び電子処理モジュール２は、オスソケット及びメスソケットと、電子処理モジュール２とカバン物品１０との間の形状ロック係合のためのプラグ部品とに対応する特別な形状を有していてもよい。
【００４４】
追加のディスプレイを設けることも可能である。追加のディスプレイは、カバン物品１０にカラビナまたは類似の留め具により取り付けられてもよい。追加のディスプレイは、例えば、液晶ディスプレイ（ＬＣＤ）、発光ダイオード（ＬＥＤ）ディスプレイ、電子インクディスプレイ、２状態（ｂｉ−ｓｔａｔｅ）ディスプレイまたは追加のディスプレイの両面に装備されるその他の適当な電子ディスプレイ手段であってもよい。
【００４５】
電子処理モジュール２のさらなる詳細は、図２の概略図に示される。電子処理モジュール２は処理ユニット２１を含んでいてもよく、処理ユニット２１としては、例えば、マイクロプロセッサ、マイクロコントローラーまたは中央処理ユニットなどが挙げられる。電子処理モジュール２はさらに処理ユニット２１及び／またはアプリケーションデータ用の構成データを格納するメモリユニット２２を含んでいてもよく、格納するメモリユニット２２としては、例えば、読み込み専用メモリ、ランダムアクセスメモリが挙げられる。メモリユニット２２は、カバン物品１０の旅程情報と連携するアプリケーションデータを格納するよう構成されていてもよい。アプリケーションデータは、処理ユニット２１及びメモリユニット２２と結合している通信モジュール２３により、処理ユニット２１へ送信されてもよい。
【００４６】
通信モジュール２３は、例えば、Ｂｌｕｅｔｏｏｔｈ（登録商標）モジュール、ＲＦＩＤモジュール、ＧＰＲＳモジュール、ＷｉＭａｘモジュール、ＷＬＡＮモジュールまたはその他の適当な無線通信モジュールであってもよい。処理ユニット２１とデータを相互送信する多数の通信手段を持つために、１つ以上の通信モジュール２３を設けることも可能である。通信モジュール２３は、アプリケーションデータを処理ユニット２１と無線により相互送信するよう構成されていてもよい。
【００４７】
電気処理モジュール２は、ディスプレイ３上に情報を表示するよう構成されていてもよい。例えば、電子処理モジュール２は、手荷物受取バーコード、フライトナンバー、目的地情報、空港情報などの旅程関連情報をディスプレイ３上に表示してもよい。ディスプレイ３上の情報は、カバン物品１０の現在位置に依存して変化してもよい。そのため、電子処理モジュール２は、さらにカバン物品１０の現在位置を測定するＧＰＳユニットを含んでいてもよい。
【００４８】
電子処理モジュール２は、例えば、スマートフォンやタブレットＰＣなどのユーザ機器上におけるアプリケーションソフトウェアなどの外部手段によりアクセスされてもよい。電子処理モジュール２へアクセスするために、ＰＩＮコードやセキュリティコードクエリなどのセキュリティ手段を設けることも可能である。使用者、例えばカバン物品１０の所有者、サービス提供業者、税関職員またはその他のカバン物品１０の取り扱いに関わる使用者は、アプリケーションデータを変えるため、またはディスプレイ３上に何らかの情報項目を表示するために、通信モジュール２３を通した外部アクセスにより電子処理モジュール２に問い合わせてもよい。飛行上の安全要求を守るために、電子処理モジュール２は、航空機の飛行中においてスイッチを切られるまたは動作しないように構成されてもよい。
【００４９】
また、通信モジュール２３は、カバン物品のロック要求、飛行情報の更新、格納された荷物の重量の更新、購入済旅行券に関するＩＤ番号など、その他の問い合わせまたは信号のための受信装置として機能してもよい。
【００５０】
ラベル表示要求を守るために、ディスプレイ３上に表示される情報は、異なる関係者がそれぞれ適切な情報を読み取ることができるように、目的地までの移動に沿って段階的に変化してもよい。情報項目は、平文、リファレンス番号、バーコード、ＱＲコードまたは類似の表示として表示されてもよい。情報を読み出すために、ハンドヘルドスキャナ、バーコードスキャナまたは自動荷物スキャナなどが用いられてもよい。
【００５１】
特に、ディスプレイ３は、飛行及び予約情報の詳細を表示する従来のペーパータグに現在結び付けられている任意の詳細を表示してもよい。ディスプレイ３は、従来のハンドヘルドスキャナやバーコードスキャナなどの従来のインフラ品及び装置を用いて任意の情報を読み取れるように、実物と類似の寸法及び外観のペーパータグのようなそれぞれの内容を表示してもよい。これにより、空港及びサービス提供業者におけるレガシーシステムとの相互接続性が容易になり、カバン物品１０がほとんど全ての従来環境において使用可能になる。
【００５２】
情報通信モジュール２３を有する電子処理モジュール２を用いることにより、「トラック＆トレース（Ｔｒａｃｋ＆Ｔｒａｃｅ）」運送が提供可能になる。すなわち、郵便業者や小包輸送業者などの運送業者が、業者のプラットフォームにより自動集配を実施することができる。
【００５３】
図３は、さらなる実施形態に係るカバン物品１０の概略図を示す。カバン物品１０は、ディスプレイ３上に情報項目を表示するように、処理モジュール２を制御するための入力信号を受信するように構成されたインタフェースユニット１３をさらに含んでいてもよい。インタフェースユニット１３は、例えば指紋リーダー、ボタン配列またはタッチスクリーンであってもよい。
【００５４】
カバン物品１０は、外殻１内に配され、電子処理モジュール２と結合したカメラ１１をさらに含んでいてもよい。カメラ１１は、カバン物品１０の周囲を撮影するように構成されていてもよい。カメラ１１は、例えば、カバン物品１０の移動経路に沿った中間目的地における実際の写真により充実化された旅行記録を生成する目的で、撮影した写真をソーシャルメディアネットワークにアップロードするために、情報通信モジュール２３と結合していてもよい。
【００５５】
図４に示されるように、カバン物品１０は、カバン物品１０の重量を測定するように構成された少なくとも１つの秤量センサー９をさらに含んでいてもよい。秤量センサー９は、例えば、外殻の蓋８が開いている間においてカバン物品１０の現在の重量が測定されるように、外殻１の底面に配されていてもよい。任意のカバン内容物Ｌが秤量され、カバン物品１０の現在の重量に関するフィードバックが与えられてもよい。そのため、カバン物品１０は、少なくとも１つの秤量センサー９の測定結果に関する情報を表示するように構成された１つ以上の表示器６ａを含む表示盤６をさらに含んでいてもよい。表示器６ａは、例えば異なる色のＬＥＤであってもよい。表示盤６上に実際の重量値を表示することも可能である。
【００５６】
ある実施態様では、表示盤６は、カバン物品１０からの追跡信号を提供するために用いられてもよい。例えば、情報通信モジュール２３からの位置情報送信信号（ｌｏｃａｔｉｏｎ  ｐｉｎｇｉｎｇ  ｓｉｎｇａｌ）を受信した際、電子処理モジュール２は表示盤６に周囲に映像及び／または音声表示を出力することを要求してもよい。これにより、例えば空港の手荷物受取所、貨物輸送コンテナまたは貨物倉内、あるいは空港一面において、カバン物品１０をより容易に発見及び識別できるようになる。
【００５７】
図３に戻り、カバン物品１０は、カバン物品１０の周囲について、次の１つ以上のパラメータ（温度、加速度、回転、気圧、湿度、明るさ）を測定するよう構成された１つ以上のセンサー１２をさらに含んでいてもよい。任意の周囲の異状はセンサー１２により記録及びメモリユニット２１に格納されてもよい。格納された情報は、例えば旅程の後でカバン物品１０の損傷の原因を遡って辿るために使用することができる。
【００５８】
カバン物品１０は、処理モジュール２に結合され、処理モジュール２に電力を供給するように構成された電源供給ユニット１４をさらに含んでいてもよい。電源供給ユニット１４は、例えば充電池を含んでいてもよい。これらの電池を充電するため、カバン１０は、電源供給ユニット１４に結合され、回転エネルギーを変換して、前記電源供給ユニット１４すなわちそれぞれの電池を充電するための電力とするように構成された１つ以上の車輪５をさらに含んでいてもよい。
【００５９】
カバン１０は、ロック７をさらに含んでいてもよい。ロック７は電気的に動作してもよい。例えば、電子処理モジュール２は、例えばＰＩＮコードの入力やセキュリティについての質問に答えるなどのセキュリティクエリに使用者が正しく応答するまで、電気的にロック７を封止してもよい。使用者は、例えばスマートフォンと無線通信とによりカバン物品１０に入力してもよく、インタフェースユニット１３によりカバン物品１０に応答を直接入力してもよい。
【００６０】
図４に戻り、カバン物品１０は、外殻１の内面に配され、電子処理モジュール２と結合したさらなるディスプレイ３ａをさらに含んでいてもよい。ディスプレイ３ａ上には、医療的助言、電話番号、目的地国のビザ情報、天気予報情報、気候の特異性、ホテル情報または類似の情報などの目的に関連する情報を、カバン物品１０に個人所有物を詰め込んでいる間に使用者に表示してもよい。
【００６１】
カバン物品１０は、一体化され延長可能な脚部であって、カバンに詰め込むのに適したスタンドまたはラップトップ／タブレットスタンドとなる脚部をさらに含んでいてもよい。
【００６２】
カバン物品１０は、外殻１の中に配された気密圧縮袋と、気密圧縮袋に結合され、気密圧縮袋を排気するように構成された真空発生ユニットとをさらに含んでいてもよい。例えば、真空発生ユニットは、ハンドル４内に設けられていてもよく、該ハンドル４は、真空発生ユニットを動作さ外殻ためにカバン物品１０から延長されてもよい。気密圧縮袋の排気により、一方ではカバン物品１０の内容物Ｌを外部の影響から防護することができ、他方ではよりきっちりとカバンに物を詰め込むためにカバン物品１０の内容物を圧縮することができる。
【００６３】
図５は、図１〜４に係るカバン物品１０のようなカバン物品のための通信システムの概略図である。通信システムは、例えば、処理モジュール２の通信モジュール２３と無線通信に用いられるアプリケーションソフトウェアがインストールされた１つ以上のスマートフォン２５を含んでいてもよい。無線通信は、無線通信チャンネル２４より影響を受けてもよい。
【００６４】
通信システムは、電子処理モジュール２と通信し、カバン物品１０の前記ディスプレイ３上に情報項目を表示する目的で、電子処理モジュール２を制御するように構成された管理プラットフォーム２６を含む。任意の通信は、スマートフォン２５と処理モジュール２との間に直接生じてもよく、管理プラットフォーム２６を中継して生じてもよい。管理プラットフォーム２６は、それ自身が航空会社、運送業者または旅行代理店など、他の異なるサービス業者のプラットフォームと通信してもよい。
【００６５】
上述の詳細な説明において、開示を効率化する目的のため、一つ以上または複数の実施例において様々な特徴が組み合わせられる。上記の説明は例示の目的であって、限定でないことは理解されるべきである。全ての代替、修正及び同等のものを包含することが意図される。多くの他の実施例は、上記明細書を知得した当業者にとって明らかであろう。
【００６６】
実施態様は、本発明の原理及びその応用例の最良の説明であり、従って他の当業者に、考慮される特定の用途に適するように様々な修正を伴って、本発明及び様々な実施形態の最良の利用を可能とするように、選択及び説明された。添付のクレーム中において及び明細書を通して、用語“ｉｎｃｌｕｄｉｎｇ”及び“ｉｎ  ｗｈｉｃｈ”は、それぞれ用語“ｃｏｍｐｒｉｓｉｎｇ”及び“ｗｈｅｒｅｉｎ”の平易な英語における相当語句として用いられる。
【符号の説明】
【００６７】
１      外殻
１ａ    側面
１ｂ    上面
１ｃ    前面
２      処理モジュール
３      ディスプレイ
４      取っ手
５      車輪
６      表示盤
６ａ    表示器
７      ロック
８      カバン蓋
９      秤量センサー
１０    カバン物品
１１    カメラ
１２    センサーユニット
１３    インタフェースユニット
１４    電源供給ユニット
２１    処理ユニット
２２    メモリユニット
２３    通信モジュール
２４    ＲＦ通信チャンネル
２５    ユーザ機器
２６    管理プラットフォーム
２７ａ  サービス提供プラットフォーム
２７ｂ  サービス提供プラットフォーム
Ｌ      カバン内容物
【図１】
2014132747.tif 000003
【図２】
2014132747.tif 000004
【図３】
2014132747.tif 000005
【図５】
2014132747.tif 000006
【図４】
2014132747.tif 000007
【外国語明細書】
2014132747.tif 000008
2014132747.tif 000009
2014132747.tif 000010
2014132747.tif 000011
2014132747.tif 000012
2014132747.tif 000013
2014132747.tif 000014
2014132747.tif 000015
2014132747.tif 000016
2014132747.tif 000017
2014132747.tif 000018
2014132747.tif 000019
2014132747.tif 000020
2014132747.tif 000021
2014132747.tif 000022
2014132747.tif 000023
2014132747.tif 000024
【Fig１】
2014132747.tif 000025
【Fig２】
2014132747.tif 000026
【Fig３】
2014132747.tif 000027
【Fig４】
2014132747.tif 000028
【Fig５】
2014132747.tif 000029